(57)【要約】【課題】ユーザの手間を増やすことなくユーザの所望する送信形態でのデータの送信を実行することができる複合機を提供することを目的とする。【解決手段】本発明の複合機は、送信先を識別する送信先識別子に基づいて、送信先識別子が識別する送信先への送信に用いられる送信形態を特定する。送信先識別子は、送信先識別子が識別する送信先への送信に用いられる送信形態によって構成が異なる。本発明の複合機は、このような送信先識別子の構成の差異に基いて、送信形態を特定することで、送信形態がユーザに指定されなくても、送信先識別子にて識別される送信先にユーザの所望する形態の送信をすることができる。【選択図】  図３
2006352413.tif 000002
【特許請求の範囲】
【請求項１】
複数の送信形態でデータの送信が可能な複合機において、
送信先を識別する記号で構成された送信先識別子を入力する入力手段と、
上記複数の各送信形態における送信先の送信先識別子の構成を示す判別情報を記憶する記憶する記憶手段と、
上記判別情報に基づいて、入力された送信先識別子が識別する送信先への送信に用いられる送信形態を特定する特定手段とを備えたことを特徴とする複合機。
【請求項２】
上記特定手段にて特定された送信形態で、上記入力手段にて送信先識別子が入力された送信先に対してデータを送信する送信手段を備えた請求項１に記載の複合機。
【発明の詳細な説明】
【技術分野】
【０００１】
複数の送信形態でデータの送信ができる複合機に関する。
【背景技術】
【０００２】
ファクシミリ、電子メールなどの複数の送信形態でデータの送信ができる複合機が商品化されている。ファクシミリ装置のように実行できる送信形態がファクシミリだけの複合機は、送信形態が１つのため、ユーザに送信先が指定されれば送信形態が指定されなくてもデータの送信を行なう。しかし、複数の送信形態で送信が実行できる複合機は、ユーザに指定された送信形態で送信を実行するため、送信先と送信形態がユーザに指定されなければ送信を行わない。そのため、複数の送信形態で送信が実行できる複合機においては、ユーザが送信形態を選択できるが、送信を実行させるために送信形態を指定する手間がユーザに掛かることになる。
【０００３】
この手間を軽減させる技術が取り入れられた装置（インターネットファクシミリ装置）が特開２００３−２４４３８４号公報に記載されている。この公報に記載のインターネットファクシミリ装置は、送信を行う際に操作パネルに表示されている画面に基づいて送信形態を自動的に判断することで、ユーザに送信形態が指定されなくても、送信先が指定されれば判断した送信形態で送信を実行する。
【特許文献１】特開２００３−２４４３８４号公報
【発明の開示】
【発明が解決しようとする課題】
【０００４】
しかしながら、操作パネルに表示されている画面とユーザが所望する送信形態は一致するとは限らないため、上記公報のインターネットファクシミリ装置では、ユーザの所望しない送信形態で送信が行われる可能性がある。
【０００５】
そのため、操作パネルに、所望しない送信形態での送信が実行される画面が表示されている場合は、ユーザは、所望の送信形態での送信を実行するためだけに画面を変更するといった手間を掛ける必要がある。
【０００６】
そこで、本発明は、ユーザの手間を増やすことなくユーザの所望する送信形態でのデータの送信を実行することができる複合機を提供することを目的とする。
【課題を解決するための手段】
【０００７】
本発明の複合機は、送信先を識別する送信先識別子に基づいて、送信先識別子が識別する送信先への送信に用いる送信形態を特定する。送信先識別子とは、例えばＦＡＸ番号、メールアドレス、ＩＰアドレスなどであり、送信形態とは、ファクシミリ、電子メール、ＬＡＮ等である。
【０００８】
複合機は、送信先識別子にて識別される送信先がどの送信形態で送信先となりうる送信先であるかを特定するための判別情報を記憶する記憶手段を備えている。送信先識別子の構成は、送信先識別子が識別する送信先への送信に用いられる送信形態によって異なる。例えば、ファクシミリなら数字とハイフンのみで構成され、電子メールなら＠が含まれ、ＬＡＮなら＠が含まれないがピリオドが含まれるのが一般的である。判別情報は、このような送信先識別子の構成の差異に基いて、送信形態を特定することができる情報となっている。
【０００９】
例えば、判別情報は、数字及びポーズ（ハイフン）から構成された送信先識別子がファクシミリであり、＠マークが含まれた送信先識別子が電子メールであり、＠が含まれておらず且つピリオドが含まれた送信先識別子がＬＡＮであることを示す情報である。
【００１０】
複合機は、送信形態の特定の基となる送信先識別子をユーザ等が入力するための入力手段を備える。入力手段には、操作パネルやハードキーなどを用いることができる。送信先識別子の入力は、ソフトキーボードなどを用いて文字や数字などの送信先識別子を構成する記号を入力することや、予め複合機に登録された送信先識別子を選択すること等によって行なう。
【００１１】
複合機は、入力手段にて入力された送信先識別子と上記判別情報に基づいて送信形態を特定する。例えば、数字及びポーズのみから構成された送信先識別子が入力された場合は、複合機は、送信形態をファクシミリに特定する。また、例えば、＠が含まれた送信先識別子が入力された場合は、複合機は、送信形態を電子メールに特定する。例えば、＠が含まれておらず且つピリオドが含まれていれば、複合機は、送信形態をＬＡＮやインターネットなどに特定する。
【００１２】
よって、ユーザが所望する送信形態に対応する送信先識別子を入力すれば、入力された送信先識別子を用いて行われる送信形態が特定される。
【発明の効果】
【００１３】
したがって、本発明の複合機を用いれば、送信形態の指定をしなくても、ユーザの所望する送信形態でのデータの送信が可能となる。特に、ソフトキーボードなどを用いて文字や数字などの送信先識別子を構成する記号を入力する場合、送信先識別この入力が大変面倒な作業となるので、ユーザは少しでも作業量を減らしたいと感じる。本発明の複合機は、送信形態の指定が省けるので、少しでも作業を減らしたいユーザにとって非常に便利である。
【発明を実施するための最良の形態】
【００１４】
図１は、本発明の複合機１００の概略構成図である。複合機１００は、図１に示すように、本体１０１と、本体１０１の上方に取り付けられたプランカバー１０２を備える。本体１０１の上面は原稿台１０３が設けられており、原稿台１０３は、プラテンカバー１０２によって開閉される。プラテンカバー１０２は、自動原稿給紙装置１０４と載置台１０５と排紙台１０９が設けられている。
【００１５】
自動原稿給紙装置１０４は、プラテンカバー１０２の内部に形成された原稿搬送路１０８と、プラテンカバー１０２の内部に備えられたピックアップローラ１０６や搬送ローラ１０７等で構成される。原稿搬送路１０８は、載置台１０５から、本体１０１に設けられた読取手段１１０にて読み取りが行なわれる読取位置Ｐを経由して、排紙台１０９に通じる原稿の搬送路である。
【００１６】
自動原稿給紙装置１０４は、載置台１０５に載置された原稿を１枚ずつピックアップローラ１０７で搬送路内１０８に引き込み、搬送ローラ１０６等によって引きこまれた原稿を読取位置Ｐを通過させて排紙台１０９に排紙する。読取位置Ｐを通過する時に原稿は読取手段１１０にて読み取られる。
【００１７】
読取手段１１０は、原稿台１０３の下方に設けられている。読取手段１１０は、原稿台１０３を照射する主走査方向に長い光源１１１と、原稿台からの光を導くミラー１１２、１１３、１１４と、ミラーで導かれた光を撮像する撮像素子１１５とで構成されている。
【００１８】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は受光した光を撮像することで、原稿の画像データを生成する。
【００１９】
読取手段１１０は、自動原稿給紙装置１０４で搬送される原稿だけでなく、原稿台１０３に載置された原稿も読み取ることが可能となっている。原稿台１０３に載置された原稿を読み取る場合は、読取手段１１０は、光源１１１を発光させながら副走査方向に移動させて、原稿台１０３の全体を照射する。原稿台１０３からの反射光を撮像素子１１５に導くために、ミラー１１２は光源１１１と共に移動し、光源１１１から撮像素子１１５までの光路長を一定にするために、ミラー１１３、１１４は光源１１１及びミラー１１２の１/２の速度で移動する。
【００２０】
撮像素子１１５は、自動原稿給紙装置１０４に搬送された原稿のときと同じように、ミラー１１２、１１３、１１４に導かれた光に基づいて原稿台１０３に載置された原稿の画像データを生成する。
【００２１】
撮像素子１１５で生成された画像データは、その後ファクシミリ、電子メール、ＬＡＮで送信されたり、複合機１００に内蔵された印刷機構によって印刷されたりする。
【００２２】
複合機１００は、画像データをファクシミリ、電子メール、ＬＡＮで送信するために、電話回線、ＬＡＮケーブルなどが装着されたコネクタ１３０を備える。
【００２３】
原稿の画像データをファクシミリやＬＡＮ、電子メールで送信する場合、送信先を複合機１００に指定する必要がある。複合機１００は、図１に示すように本体１０１の上部にユーザからの指示を受け付ける操作パネル１２０を備えている。操作パネル１２０の初期画面は、図２に示すようになっており、ユーザは、原稿の画像データを送信する場合、載置台１０５又は原稿台１０３に原稿を載置すると共に、「ソフトキーボード」と表示されたキー２０１を押下する。
【００２４】
キー２０１が押下されると、図３に示す複合機１００に備えられた入力手段３０１は、図４に示す送信先識別子を入力する画面を操作パネル１２０に表示する（図５、Ｓ５０１）。図４に示すように、この画面には、送信先識別子を入力する入力欄４０１、ソフトキーボード４０２、送信キー４０３、登録キー４０４が表示される。
【００２５】
ユーザは、図４に示す画面が表示されると、ソフトキーボード４０２を用いて原稿の画像データの送信先を識別する送信先識別子を入力する（図５、Ｓ５０２）。入力される送信先識別子は、画像データの送信にファクシミリを用いる場合はＦＡＸ番号となり、電子メールを用いる場合はメールアドレスとなり、ＬＡＮを用いる場合はＩＰアドレスとなる。ソフトキーボード４０２の操作内容は、入力手段３０１が認識し、入力手段３０１は、認識した内容を入力欄４０１に表示する。
【００２６】
ユーザは、入力欄４０１に所望の送信先識別子が表示されて所望の送信先識別子が入力できたことを確認すると、送信キー４０３を押下する。
【００２７】
送信キー４０３が押下されると、載置台１０５又は原稿台１０３に載置された原稿が上記のようにして読取手段１１０にて読み取られる。読取手段１１０は、読み取った原稿の画像データを生成すると、画像データをメモリ３０３に格納する。
【００２８】
また、送信キー４０３が押下されると、特定手段３０２は、ソフトキーボード４０２を用いて入力された送信先識別子を入力手段３０１から取得すると共に、記憶手段３０４から判別情報を取得する。
【００２９】
判別情報は、図６に示すような送信形態と記号の項目６０２、６０３からなるテーブル６０１で構成されている。送信形態の項目６０２には、複合機１００が実行することができる送信形態であるファクシミリ６０４、電子メール６０５、ＬＡＮ６０６の３つの送信形態がある。ファクシミリ６０４には、「数字とハイフンのみで構成」６１４の記号の項目が対応付けられ、電子メール６０５には「＠が含まれる」６１５の記号の項目が対応付けられ、ＬＡＮ６０６は、「＠が含まれずピリオドが含まれる」６１６の記号の項目が対応付けられている。
【００３０】
特定手段３０２は、送信先識別子と判別情報を取得すると、送信形態を特定する（図５、Ｓ５０３）。送信形態の特定は、下記のようにして行われる。まず、特定手段３０２は、取得した送信先識別子が数字とハイフンのみで構成されるものか否かを判断する。数字とハイフンのみで送信先識別子が構成されると判断した場合、特定手段３０２は、送信形態をファクシミリと特定する。数字とハイフンのみで構成されていない場合は、特定手段３０２は、送信先識別子に＠が含まれているか否かを判断する。＠が送信先識別子に含まれている場合は、特定手段３０２は、送信形態を電子メールと特定する。＠が含まれていない場合は、特定手段３０２は、送信先識別子にピリオドが含まれているか否かを判断する。ピリオドが含まれている場合は、特定手段３０２は、送信形態をＬＡＮと特定する。ピリオドが含まれていない場合は、特定手段３０２は、送信形態を特定できない旨を警告音などでユーザに報知して、再度図４に示す画面を操作パネル１２０に表示してユーザに送信先識別子を再度入力させる。
【００３１】
特定手段３０２は、送信形態を特定すると、送信先識別子をアドレス帳に登録するか、特定した送信形態でメモリ３０３に格納された画像データを送信するか否かを判断する（図５、Ｓ５０４）。この判断は、図４に示す画面において送信先識別子が入力された際に送信キー４０３が押下されたか否かに基いて行なわれる。送信キー４０３が押下されている場合は、特定した送信形態でメモリ３０３に格納された画像データを送信と判断され、送信キー４０３が押下されていない場合は、送信先識別子をアドレス帳に登録と判断される。上述したように、ここでは送信キー４０３が押下されているので、特定手段３０２は特定した送信形態でメモリ３０３に格納された画像データを送信と判断する。
【００３２】
このように送信と判断されると、特定手段３０２は、図７に示すように、他の送信先にも送信するか否かをユーザに問合せる画面を操作パネル１２０に表示する（図５、Ｓ５０５）。他の送信先にも送信する場合は、ユーザは、図７に示す「追加する」が表示されたキー７０１を押下し、他の送信先に送信しない場合は、ユーザは、「追加しない」が表示されたキー７０２を押下する。
【００３３】
キー７０１が押下されると、特定手段３０２は、入力手段３０１に対して、登録キー４０４が無いことを除いて図４と同じ画面の表示を指示する。入力手段３０１は特定手段３０２からの指示があると、指示のあった画面を操作パネル１２０に表示する。画面が表示されると、ユーザは、ステップ５０２のようにして、送信先識別子をソフトキーボード４０２で入力して送信キー４０３を押下する（図５、Ｓ５０６）。
【００３４】
送信キー４０３が押下されると、特定手段３０２は、ソフトキーボード４０２を用いて入力された送信先識別子を入力手段３０１から取得する。送信先識別子が入力されると、特定手段３０４は、送信先識別子に対する送信形態をステップ５０３において行った方法で特定する（図５、Ｓ５０７）。特定手段３０２は、送信形態を特定すると、図７の画面を再び表示する。このように、ユーザは全ての送信先の送信先識別子を入力し終えるまで図７の画面の「追加する」が表示されたキー７０１を押下する（図５、Ｓ５０８、ＮＯ）。
【００３５】
特定手段３０２は、「追加しない」が表示されたキー７０２が押下されると、各送信先識別子と特定した各送信先識別子の送信形態を送信手段３０５に入力する（図５、Ｓ５０８、ＹＥＳ）。
【００３６】
送信手段３０５は、各送信先識別子と各送信先識別子の送信形態が入力されると、メモリ３０３から画像データを取得する。画像データを取得すると、送信手段３０５は、各送信先識別子で識別される送信先に、各送信先識別子の送信形態で画像データを送信する（図Ｓ５０９）。
【００３７】
以上のように、ユーザはファクシミリ、電子メール、ＬＡＮなどの送信形態を指定しなくても、ＦＡＸ番号、メールアドレス、ＩＰアドレスなどの送信先識別子を入力するだけで、画像データを所望の送信形態で送信することができる。また、複数の送信先にデータの送信をする場合も、送信先識別子毎について送信形態が特定されるので、各送信先識別子が入力される度に送信形態をユーザが指定する必要がなくなるので、複数の送信先にデータを送信する場合は省ける手間が特に大きい。
【００３８】
一方、図４に示す画面の登録キー４０４が押下された場合、特定手段３０２は、ステップ５０４において、送信先識別子をアドレス帳に登録すると判断する。特定手段３０２は登録すると判断すると、特定した送信形態と送信先識別子を登録手段３０６に入力する。
【００３９】
登録手段３０６は、送信形態と送信先識別子が入力されると、送信先識別子と共にアドレス帳に登録する名前、住所などの事項をユーザに入力させるための画面を表示する（図５、Ｓ５１０）。登録手段３０６は、送信形態と送信先識別子が入力されると、まず図８（ａ）に示すような名前を入力する入力欄８０１とソフトキーボード８０２と決定キー８０３が表示される画面を操作パネル１２０に表示する。ユーザは図８（ａ）に示す画面が表示されると、ソフトキーボード８０２を用いて名前を入力して決定キー８０３を押下する。登録手段３０４は、図８（ａ）に示す決定キー８０３が押下されると、図８（ｂ）に示す画面を表示する。図８（ｂ）に示す画面は、名前の入力欄８０１が表示される位置に住所の入力欄８０４が表示されている点を除いて図８（ａ）と同じ画面である。図８（ｂ）の画面が表示されると、ユーザは、ソフトキーボード８０２を用いて住所を入力して決定キー８０３を押下する。登録手段３０４は、決定キー８０３が押下されると、図８（ｃ）に示す画面を表示する。図８（ｃ）に示す画面は、名前の入力欄８０１が表示される位置に会社名の入力欄８０５が表示されている点を除いて図８（ａ）と同じ画面である。図８（ｃ）に示す画面が表示されると、ユーザは、ソフトキーボード８０２を用いて会社名を入力して決定キー８０３を押下する。
【００４０】
登録手段３０６は、図８（ｃ）の画面において決定キー８０３が押下されると、特定手段３０２から入力された送信先識別子、送信形態と、ソフトキーボード８０２を用いて入力された名前、住所、会社名を対応付けてアドレス帳を作成して、このアドレス帳をアドレス帳記憶手段３０７に登録する（図５、Ｓ５１１）。
【００４１】
以上のように、ユーザは、送信先識別子が識別する送信先のへの送信に用いられる送信形態を入力しなくても、この送信形態をアドレス帳記憶手段３０７に登録することができる。
【００４２】
アドレス帳記憶手段３０７に登録したアドレス帳は、図２に示す「アドレス帳」が表示されたキー２０２がユーザに押下されることで、操作パネル１２０に表示される。ユーザがキー２０２を押下すると、アドレス帳表示手段３０８は、アドレス帳記憶手段３０７から各アドレス帳に含まれる名前を取得して操作パネル１２０に表示する。ユーザが所望の名前が表示された領域を押下すると、アドレス帳表示手段３０８は、押下された名前が含まれるアドレス帳の内容、即ち、送信先識別子、送信形態、名前、住所、会社名をアドレス帳記憶手段３０８から取得して、操作パネル１２０に表示する。
【００４３】
ユーザは、例えばアドレス帳の内容が操作パネル１２０に表示されると、送信先識別子が表示された領域を押下することで、ステップ５０２にて行う送信先識別子の入力を行う事ができる。送信先識別子が表示された領域が押下された場合、アドレス帳表示手段３０８は、送信先識別子と、この送信先識別子と共に操作パネル１２０に表示された送信形態を特定手段３０２に入力する。
【００４４】
このように、アドレス帳表示手段３０８から送信先識別子と送信形態が入力された場合は、特定手段３０２は、ステップ５０１〜５０３の処理を行わずに、ステップ５０５の他の送信先にも送信するか否かをユーザに問合せる画面を操作パネル１２０に表示する処理に移行する。ステップ５０５から画像データが送信されるまでの手順は、送信先識別子を図４に示す画面から入力したした場合と同じである。
【００４５】
従って、アドレス帳を用いることで、ユーザは、画像データの送信の際に送信先識別子や送信形態を入力する手間を省く事ができる。
【００４６】
なお、ステップ５０９の送信が行われた後、操作パネル１２０に図８（ａ）〜（ｃ）に示す画面を表示させて、送信に用いられた送信先識別子のアドレス帳の登録を送信に続けて行えるようにしてもよい。例えば送信手段３０５は、送信を完了すると、登録手段３０６に送信先識別子と送信形態を入力し、登録手段３０６は、送信先識別子と送信形態が入力されると、ステップ５１０〜ステップ５１１のようにして送信先識別子、送信形態、名前、住所、会社名などの登録を行う。
【図面の簡単な説明】
【００４７】
【図１】複合機の概略構成図。
【図２】操作パネルの初期画面の模式図。
【図３】複合機の機能ブロック図。
【図４】操作パネルに表示される送信先識別子を入力する画面の模式図。
【図５】送信先の入力からデータの送信までの手順を示すフローチャート。
【図６】判別情報の概念図。
【図７】操作パネルに表示される送信先の追加を行うか否かを問合せる画面の模式図。
【図８】アドレス帳への登録事項を入力する画面の模式図。
【符号の説明】
【００４８】
１００  複合機
１１０  読取手段
３０１  入力手段
３０２  特定手段
３０３  メモリ
３０４  記憶手段
３０５  送信手段
３０６  登録手段
３０７  アドレス帳記憶手段
３０８  アドレス帳表示手段
【図１】
2006352413.tif 000003
【図２】
2006352413.tif 000004
【図３】
2006352413.tif 000005
【図４】
2006352413.tif 000006
【図５】
2006352413.tif 000007
【図６】
2006352413.tif 000008
【図７】
2006352413.tif 000009
【図８】
2006352413.tif 000010